(57)【要約】【課題】簡易な構成で飲料及び氷の少なくとも１つを目標量で定量注出するディスペンサを提供することを課題とする。【解決手段】水及び氷の少なくとも１つの供給物を注出するディスペンサ１０１は、貯水タンク２１及び貯氷タンク１１と、貯水タンク２１内の水を注出する水注出管２５及び貯氷タンク１１内の氷を注出する氷放出路１１ｄと、水注出管２５を開放及び閉鎖する給水弁２４並びに氷放出路１１ｄを開放及び閉鎖する開閉扉１２ａと、貯水タンク２１及び貯氷タンク１１それぞれから注出される水及び氷の目標とする所定注出量を入力する入力装置３０と、入力装置３０に入力された所定注出量に基づき給水弁２４及び開閉扉１２ａの開放時間を設定し、設定した開放時間に基づき給水弁２４及び開閉扉１２ａの開放を制御する制御装置４０とを備える。【選択図】図１
2012250746.tif 000002
【特許請求の範囲】
【請求項１】
飲料及び氷の少なくとも１つの供給物を注出するディスペンサであって、
前記供給物を貯留するタンクと、
前記タンク内の前記供給物を注出する注出路と、
前記注出路を開放及び閉鎖する開閉装置と、
前記タンクから注出される前記供給物の目標とする所定注出量を入力する注出量入力部と、
前記注出量入力部に入力された前記所定注出量に基づき前記開閉装置の開放時間を設定し、前記開放時間に基づき前記開閉装置の開放を制御する制御装置とを備えるディスペンサ。
【請求項２】
前記制御装置は、開放時の前記開閉装置を流通可能な前記供給物の流量を使用して、前記開閉装置の前記開放時間を設定する請求項１に記載のディスペンサ。
【請求項３】
前記タンク内の前記供給物の貯留量を検出する貯留量検出装置をさらに備え、
前記制御装置は、前記貯留量検出装置の検出貯留量に基づき、前記開閉装置の前記開放時間を補正する請求項１または２に記載のディスペンサ。
【発明の詳細な説明】
【技術分野】
【０００１】
この発明はディスペンサに関する。
【背景技術】
【０００２】
例えば特許文献１には、飲料タンク内に貯留した飲料等の液体をカップ等の飲料容器に目標重量となるように定量注出する飲料ディスペンサが記載されている。この飲料ディスペンサでは、操作スイッチによって飲料の注出目標重量を選択して注出を開始させるように構成されている。そして、飲料ディスペンサは、飲料容器が載せられる載置台の重量を重量センサで検出する構成を有し、飲料注出中の重量センサの検出重量に基づき、飲料タンクから送出される飲料が目標の注出量となるように、飲料タンクから飲料を送出する飲料送出管の注出バルブの開閉を制御している。
【先行技術文献】
【特許文献】
【０００３】
【特許文献１】特開２０１０−２３５１７５号公報
【発明の概要】
【発明が解決しようとする課題】
【０００４】
しかしながら、特許文献１の飲料ディスペンサは、重量センサで載置台の重量を検出するために、載置台は上下方向に移動することが可能である必要があり、その構造が複雑になるという問題がある。さらに、載置台上には飲料等がこぼれる可能性があり、複雑な構造の載置台は、そのメンテナンス性を悪化させるという問題もある。
【０００５】
この発明はこのような問題点を解決するためになされたものであり、簡易な構成で飲料又は氷を目標量で定量注出するディスペンサを提供することを目的とする。
【課題を解決するための手段】
【０００６】
上記の課題を解決するために、この発明に係るディスペンサは、飲料及び氷の少なくとも１つの供給物を注出するディスペンサであって、供給物を貯留するタンクと、タンク内の供給物を注出する注出路と、注出路を開放及び閉鎖する開閉装置と、タンクから注出される供給物の目標とする所定注出量を入力する注出量入力部と、注出量入力部に入力された所定注出量に基づき開閉装置の開放時間を設定し、上記開放時間に基づき開閉装置の開放を制御する制御装置とを備える。
【０００７】
制御装置は、開放時の開閉装置を流通可能な供給物の流量を使用して、開閉装置の開放時間を設定してもよい。
上記ディスペンサは、タンク内の供給物の貯留量を検出する貯留量検出装置をさらに備え、制御装置は、貯留量検出装置の検出貯留量に基づき、開閉装置の開放時間を補正してもよい。
【発明の効果】
【０００８】
この発明に係るディスペンサによれば、簡易な構成で飲料及び氷の少なくとも１つを目標量で定量注出することが可能になる。
【図面の簡単な説明】
【０００９】
【図１】この発明の実施の形態１に係るディスペンサの概要図である。
【発明を実施するための形態】
【００１０】
以下に、この発明の実施の形態について、添付図に基づいて説明する。なお、以下の実施の形態では、ディスペンサは利用者に飲料としての水と氷片とを提供する飲料ディスペンサであるとして説明する。
実施の形態１．
まず、この発明の実施の形態１に係るディスペンサ１０１の構成を説明する。
図１は、本発明の実施の形態１によるディスペンサ１０１の概略図である。ディスペンサ１０１は、氷供給部１０と、水供給部２０と、利用者が氷及び水の注出等の指令を入力する入力装置３０と、入力装置３０からの指令を受信し氷供給部１０及び水供給部２０を制御する制御装置４０とを備えている。
【００１１】
氷供給部１０は、製氷された氷を貯留するための箱状の貯氷タンク１１と、氷を製造し貯氷タンク１１に供給する製氷装置１４とを有している。
製氷装置１４は、貯氷タンク１１の底壁１１ｃに取り付けられている。また、製氷装置１４は、円筒状の冷凍ケーシング１４ａを有している。冷凍ケーシング１４ａは、一方の端部が貯氷タンク１１の内部に延び、他方の端部がギアードモータ１６に取り付けられている。さらに、冷凍ケーシング１４ａには、製氷水供給管１５ａ及び製氷水排水管１５ｂが接続されており、内部を水（製氷水）が流通するように構成されている。なお、ギアードモータ１６は、電気モータを有する駆動装置であり、電気的に接続された制御装置４０によってその動作が制御される。
【００１２】
また、製氷装置１４は、冷凍ケーシング１４ａの外周面に螺旋状に巻き付けられた冷凍パイプ１４ｂを有している。冷凍パイプ１４ｂは、図示しない冷凍回路に接続されて冷媒が流通するように構成されている。そして、冷凍パイプ１４ｂは、冷凍回路の蒸発器として作用し、内部を流通する冷媒と冷凍ケーシング１４ａの内部の製氷水とを熱交換させて製氷水を冷却し、それにより、製氷水が冷凍ケーシング１４ａの内周面から徐々に氷結して層状の氷を形成する。さらに、製氷装置１４は、冷凍パイプ１４ｂの外側を取り囲む断熱材１４ｃを有している。
【００１３】
また、製氷装置１４は、冷凍ケーシング１４ａの内側に挿入されたオーガ１４ｄを有している。オーガ１４ｄは、その外周に軸方向に沿って螺旋刃を有している。そして、オーガ１４ｄの一方の端部が、ギアードモータ１６に連結されている。貯氷タンク１１側となるオーガ１４ｄの他方の端部には、連結軸１４ｅが一体に連結され、連結軸１４ｅは、貯氷タンク１１の内部に延びて、貯氷タンク１１の内部の氷を攪拌するためのアジテータ１３と連結されている。これにより、オーガ１４ｄとアジテータ１３とが、オーガ１４ｄの中心軸を中心に一体に回転することができる。また、連結軸１４ｅは、冷凍ケーシング１４ａの内側における貯氷タンク１１側の端部に設けられた押圧頭１４ｆに回転可能に支持されている。よって、オーガ１４ｄは、ギアードモータ１６により回転駆動され、それにより、冷凍ケーシング１４ａの内周面の氷を螺旋刃で削り取りつつ貯氷タンク１１に向かって移送し、移送された氷は、押圧頭１４ｆを通過する過程で圧縮された後氷片に切断され、貯氷タンク１１の内部に放出される。
【００１４】
また、貯氷タンク１１は、その側壁１１ａに、内部の氷を外部に放出するための氷放出口１１ａ１を有し、さらに、氷放出口１１ａ１の外側に、氷放出口１１ａ１から利用者の飲料容器１００に氷を導く氷放出路１１ｄを有している。
さらに、貯氷タンク１１は、氷放出口１１ａ１を開閉する開閉扉機構１２を有している。開閉扉機構１２は、氷放出口１１ａ１を外側から閉鎖及び開放することができる開閉扉１２ａと、電動式のアクチュエータ１２ｂと、アクチュエータ１２ｂ及び開閉扉１２ａを連結するリンク機構１２ｃとを有している。これにより、アクチュエータ１２ｂは、上下方向に伸縮動作することによってリンク機構１２ｃを駆動させて開閉扉１２ａに氷放出口１１ａ１を閉鎖及び開放動作させることができる。なお、アクチュエータ１２ｂは、電気的に接続された制御装置４０によってその動作が制御される。
ここで、氷放出路１１ｄは注出路を構成し、開閉扉１２ａは開閉装置を構成している。
【００１５】
また、貯氷タンク１１は、上壁１１ｂの内部側に貯留量検出装置である貯氷量検出センサ１７を有している。貯氷量検出センサ１７は、底壁１１ｃ側の氷に向かって光波、音波等の進行波を放出して氷表面までの距離を検出し、検出した距離を、電気的に接続された制御装置４０に送信する。
【００１６】
また、水供給部２０は、利用者に供給する水を一時的に貯留するための貯水タンク２１を有している。
貯水タンク２１の側壁２１ａには、水供給管２２が接続している。水供給管２２は、図示しない水冷却装置を介して水道等の外部水供給源に接続されており、貯水タンク２１に冷却された水を供給する。
【００１７】
また、貯水タンク２１の底壁２１ｃには、水放出管２３が接続し、水放出管２３は、給水弁２４を介して、利用者の飲料容器１００に水を注出するための水注出管２５と接続されている。
ここで、水放出管２３及び水注出管２５は注出路を構成し、給水弁２４は開閉装置を構成している。
さらに、貯水タンク２１の底壁２１ｃには、貯水タンク２１内の水の劣化を防ぐために定期的に外部に水を排出するための排水管２６ａ、並びに、排水管２６ａを開放及び閉鎖する排水弁２６ｂが設けられている。
【００１８】
給水弁２４は、水注出管２５を開放及び閉鎖して、水放出管２３を水注出管２５に連通させることやこの連通を遮断することができる。さらに、給水弁２４は、電気的に接続された制御装置４０によってその開放及び閉鎖動作が制御される。
また、貯水タンク２１の上壁２１ｂの内部側には、貯留量検出装置である貯水量検出センサ２７が設けられている。貯水量検出センサ２７は、底壁２１ｃ側の水に向かって光波、音波等の進行波を放出して水面までの距離を検出し、検出した距離を、電気的に接続された制御装置４０に送信する。
【００１９】
また、入力装置３０は、ディスペンサ１０１の図示しない筐体の外表面に設けられ、制御装置４０と電気的に接続されている。
入力装置３０は、その外表面に、利用者が押すことによって指令を入力することができる複数の操作スイッチと、表示部３６とを備えている。具体的には、操作スイッチは、水のみを注出させる指令を入力するための水注出スイッチ３１と、氷のみを注出させる指令を入力するための氷注出スイッチ３２と、水及び氷を注出させる指令を入力するための水氷注出スイッチ３３と、注出一回当たりの目標とする水の注出量を設定するための水注出量設定スイッチ３４と、注出一回当たりの目標とする氷の注出量を設定するための氷注出量設定スイッチ３５とによって構成されている。なお、ディスペンサ１０１は、水注出スイッチ３１、氷注出スイッチ３２、又は水氷注出スイッチ３３を一回押すことによって、所定量の水及び氷が注出されるように構成されている。また、表示部３６は、水又は氷の注出量を設定する際に、設定する注出量の数値を表示する。そして、入力装置３０は、各操作スイッチの操作時の信号を制御装置４０に送信する。
ここで、入力装置３０は、注出量入力部を構成している。
【００２０】
また、制御装置４０は、アクチュエータ１２ｂ、ギアードモータ１６及び給水弁２４の動作を制御する制御部４１と、入力装置３０で入力された水及び氷の注出量等を記憶するメモリ４２と、入力装置３０で入力された水及び氷の注出量を変換する演算部４３と、給水弁２４の開放時間をカウントする水注出タイマ４４と、アクチュエータ１２ｂによる開閉扉１２ａの開放時間をカウントする氷注出タイマ４５とを有している。
【００２１】
次に、図１を参照して、この発明の実施の形態１に係るディスペンサ１０１の動作を説明する。
まず、ディスペンサ１０１に水、氷、又は、水及び氷の両方を注出させる際の一回当たりの水及び氷の注出量を設定する場合でのディスペンサ１０１の動作を説明する。
【００２２】
水のみの注出での注出量を設定する場合、利用者は、入力装置３０の水注出スイッチ３１と水注出量設定スイッチ３４とを同時に押す。これにより、表示部３６には、初期値を０（零）とした設定する注出量を示す数値（単位をミリリットル［ｍｌ］とする）が表示される。そして、表示部３６の数値は、水注出量設定スイッチ３４を押す毎に及び押し続けると増加し、利用者は、水注出量設定スイッチ３４を操作して表示部３６の数値が所望の注出量（例えば、使用する飲料容器１００の容量を１５０ｍｌとし、１２０ｍｌを所望の注出量とする）になると、水注出スイッチ３１を押す。これにより、水の注出量が１２０ｍｌに設定され、設定された水の注出量は制御装置４０のメモリ４２に送信され記憶される。
【００２３】
さらに、制御装置４０の演算部４３は、メモリ４２に送信・記憶された水の設定注出量（１２０ｍｌ）から、設定注出量の水を注出するための給水弁２４の開放時間を算出する。
なお、給水弁２４の特性は予めメモリ４２に記憶されており、例えば、給水弁２４の完全開放時に３．７５Ｌ／ｍｉｎ（１分間当たり３．７５リットル）の水を注出させることができるという給水弁２４の特性が記憶されている。さらに、演算部４３は、３．７５Ｌ／ｍｉｎの水注出量という給水弁２４の特性を、水１ｍｌの注出に要する時間という特性に変換している。つまり、演算部４３は、給水弁２４の特性を、水１ｍｌの注出に要する時間が１６ｍｓｅｃ（ミリ秒）であるという特性に変換し、メモリ４２に記憶させている。
【００２４】
よって、演算部４３は、水の設定注出量（１２０ｍｌ）と、水１ｍｌの注出に要する時間１６ｍｓｅｃという給水弁２４の特性とから、設定注出量の水の注出に要する時間１９２０ｍｓｅｃを算出し、この算出時間を給水弁２４の一回当たりの開放時間としてメモリ４２に記憶させる。
【００２５】
同様にして、氷のみの注出での注出量を設定する場合、利用者は、入力装置３０の氷注出スイッチ３２と氷注出量設定スイッチ３５とを同時に押す。これにより、表示部３６には、初期値を０とした設定する注出量の数値（単位をグラム［ｇ］とする）が表示される。そして、表示部３６の数値は、氷注出量設定スイッチ３５を押す毎に及び押し続けると増加し、利用者は、氷注出量設定スイッチ３５を操作して表示部３６の数値を所望の注出量（水と同等の１２０ｍｌの容積に相当する１００ｇを所望の注出量とする）にあわせると、氷注出スイッチ３２を押すことで氷の注出量を１００ｇに設定し、この設定注出量が制御装置４０のメモリ４２に記憶される。
そして、制御装置４０の演算部４３は、メモリ４２に記憶された氷の設定注出量（１００ｇ）から、設定注出量の氷を注出するための開閉扉１２ａの開放時間を算出する。
【００２６】
なお、開閉扉１２ａの特性は予めメモリ４２に記憶されており、例えば、開閉扉１２ａによる氷放出口１１ａ１の完全開放時に４０ｇ／ｓｅｃ（１秒間当たり４０グラム）の氷を注出させることができるという開閉扉１２ａの特性が記憶されている。さらに、演算部４３は、４０ｇ／ｓｅｃの氷注出量という開閉扉１２ａの特性を、氷１ｇの注出に要する時間という特性に変換している。つまり、演算部４３は、開閉扉１２ａの特性を、氷１ｇの注出に要する時間が２５ｍｓｅｃであるという特性に変換し、メモリ４２に記憶させている。
【００２７】
よって、演算部４３は、氷の設定注出量（１００ｇ）と、氷１ｇの注出に要する時間２５ｍｓｅｃという開閉扉１２ａの特性とから、設定注出量の氷の注出に要する時間２５００ｍｓｅｃを算出し、この算出時間を開閉扉１２ａの一回当たりの開放時間としてメモリ４２に記憶させる。
【００２８】
また、同様にして、水及び氷の両方同時の注出での注出量を設定する場合、利用者は、まず水の注出量を設定するために、入力装置３０の水氷注出スイッチ３３と水注出量設定スイッチ３４とを同時に押す。これにより、表示部３６には、初期値を０とした設定する水の注出量の数値が表示される。そして、利用者は、水注出量設定スイッチ３４を操作して表示部３６の数値を所望の注出量（例えば６０ｍｌとする）にあわせると、水氷注出スイッチ３３を押すことで水の注出量を６０ｍｌに設定し、この設定注出量が制御装置４０のメモリ４２に記憶される。さらに、利用者は、氷の注出量を設定するために、水氷注出スイッチ３３と氷注出量設定スイッチ３５とを同時に押す。これにより、表示部３６には、初期値を０とした設定する氷の注出量の数値が表示される。そして、利用者は、氷注出量設定スイッチ３５を操作して表示部３６の数値を所望の注出量（例えば５０ｇとする）にあわせると、水氷注出スイッチ３３を押すことで氷の注出量を５０ｇに設定し、この設定注出量がメモリ４２に記憶される。
【００２９】
そして、制御装置４０の演算部４３は、メモリ４２に記憶された水の設定注出量（６０ｍｌ）及び氷の設定注出量（５０ｇ）から、設定注出量の水及び氷を注出するための給水弁２４及び開閉扉１２ａの開放時間を算出する。
そこで、演算部４３は、水の設定注出量（６０ｍｌ）と、水１ｍｌの注出に要する時間１６ｍｓｅｃという給水弁２４の特性とから、設定注出量の水の注出に要する時間つまり給水弁２４の一回当たりの開放時間９６０ｍｓｅｃを算出する。さらに、演算部４３は、氷の設定注出量（５０ｇ）と、氷１ｇの注出に要する時間２５ｍｓｅｃという開閉扉１２ａの特性とから、設定注出量の氷の注出に要する時間つまり開閉扉１２ａの一回当たりの開放時間１２５０ｍｓｅｃを算出する。そして、演算部４３は、算出した給水弁２４及び開閉扉１２ａの一回当たりの開放時間をメモリ４２に記憶させる。
【００３０】
次に、利用者が水、氷、又は、水及び氷の両方の注出を要求する場合のディスペンサ１０１の動作を説明する。
水のみの注出を要求する場合、利用者は、入力装置３０の水注出スイッチ３１を一回押す。
このとき、制御装置４０の制御部４１は、水注出スイッチ３１から入力信号を受信すると、給水弁２４を完全開放すると共に、水注出タイマ４４を作動させて給水弁２４を開放している時間をカウントさせる。そして、水注出タイマ４４が、メモリ４２に記憶されている水のみの注出における給水弁２４の一回当たりの開放時間１９２０ｍｓｅｃをカウントすると、制御部４１は、給水弁２４を閉鎖する。このとき、貯水タンク２１の水が、その自重によって水放出管２３及び給水弁２４を通って水注出管２５から、１２０ｍｌの所定注出量で注出される。
【００３１】
また、氷のみの注出を要求する場合、利用者は、入力装置３０の氷注出スイッチ３２を一回押す。
このとき、制御装置４０の制御部４１は、氷注出スイッチ３２から入力信号を受信すると、ギアードモータ１６を駆動させてアジテータ１３を回転させ貯氷タンク１１内の氷を氷放出口１１ａ１に向かって移動させると共に、アクチュエータ１２ｂを駆動させて開閉扉１２ａを動作させ氷放出口１１ａ１を完全に開放する。同時に、制御部４１は、氷注出タイマ４５を作動させて開閉扉１２ａを開放している時間をカウントさせる。そして、氷注出タイマ４５が、メモリ４２に記憶されている氷のみの注出における開閉扉１２ａの一回当たりの開放時間２５００ｍｓｅｃをカウントすると、制御部４１は、アクチュエータ１２ｂを駆動させて開閉扉１２ａに氷放出口１１ａ１を閉鎖させると共に、ギアードモータ１６を停止する。このとき、貯氷タンク１１の氷が、その自重による作用と回転するアジテータ１３による移送作用とによって、氷放出口１１ａ１を通って氷放出路１１ｄから、１００ｇの所定注出量で注出される。
【００３２】
また、水及び氷の両方同時の注出を要求する場合、利用者は、入力装置３０の水氷注出スイッチ３３を一回押す。
このとき、制御装置４０の制御部４１は、水氷注出スイッチ３３から入力信号を受信すると、給水弁２４を完全開放すると共に水注出タイマ４４を作動させ、同時に、ギアードモータ１６を駆動させることによるアジテータ１３の回転駆動、アクチュエータ１２ｂを駆動させることによる開閉扉１２ａの完全開放動作、及び氷注出タイマ４５の作動を行う。そして、制御部４１は、水注出タイマ４４が、メモリ４２に記憶されている水氷の両方の注出における給水弁２４の一回当たりの開放時間９６０ｍｓｅｃをカウントすると、給水弁２４を閉鎖し、氷注出タイマ４５が、メモリ４２に記憶されている水氷の両方の注出における開閉扉１２ａの一回当たりの開放時間１２５０ｍｓｅｃをカウントすると、アクチュエータ１２ｂを駆動させて開閉扉１２ａに氷放出口１１ａ１を閉鎖させると共にギアードモータ１６を停止する。このとき、貯水タンク２１の水が、水注出管２５から６０ｍｌの所定注出量で注出されると共に、貯氷タンク１１の氷が、氷放出路１１ｄから５０ｇの所定注出量で注出される。
【００３３】
上述で説明したように、この発明の実施の形態１に係るディスペンサ１０１は、水及び氷の少なくとも１つの供給物を注出するディスペンサである。ディスペンサ１０１は、水を貯留する貯水タンク２１及び氷を貯留する貯氷タンク１１と、貯水タンク２１内の水を注出する水注出管２５及び貯氷タンク１１内の氷を注出する氷放出路１１ｄと、水注出管２５を開放及び閉鎖する給水弁２４並びに氷放出路１１ｄを開放及び閉鎖する開閉扉１２ａと、貯水タンク２１及び貯氷タンク１１それぞれから注出される水及び氷の目標とする所定注出量を入力する入力装置３０と、入力装置３０に入力された所定注出量に基づき給水弁２４及び開閉扉１２ａの開放時間を設定し、設定した開放時間に基づき給水弁２４及び開閉扉１２ａの開放を制御する制御装置４０とを備える。さらに、制御装置４０は、開放時の給水弁２４及び開閉扉１２ａの氷放出口１１ａ１のそれぞれを流通可能な水及び氷の流量を使用して、給水弁２４及び開閉扉１２ａの開放時間を設定する。
【００３４】
これにより、ディスペンサ１０１では、入力装置３０において水及び氷の目標とする所定注出量を入力しておくと、入力された所定注出量で水及び氷が注出される。このとき、制御装置４０は、入力された所定注出量と、給水弁２４及び開閉扉１２ａそれぞれの特性、つまり、開放時の給水弁２４及び開閉扉１２ａの氷放出口１１ａ１のそれぞれを流通可能な水及び氷の流量とに基づき、所定注出量を注出するための給水弁２４及び開閉扉１２ａの開放時間を設定し、注出時の給水弁２４及び開閉扉１２ａの動作を制御する。よって、例えば、注出時間を設定することで設定注出量を設定するようなディスペンサと異なり、ディスペンサ１０１では、水及び氷の設定注出量の設定の際に、それぞれの設定注出量の容量に相当する数値をそのまま入力すればよいため、使用する飲料容器の容量にあわせて容易に設定注出量を設定することができる。さらに、ディスペンサ１０１では、一回の設定で所望の設定注出量を設定することができる。そして、上述のようなディスペンサ１０１は、飲料容器の容量がわからない場合でも、使用する飲料容器の容量を想定して設定注出量を入力し設定すればよいため、設定を容易にすることができる。また、ディスペンサ１０１は、水及び氷の設定注出量での定量注出のために、元々ディスペンサが備える水及び氷を注出するための構造の他に、入力装置３０及び制御装置４０を備える構成であるため、その構成を簡易にすることを可能にする。
【００３５】
実施の形態２．
この発明の実施の形態２に係るディスペンサは、実施の形態１のディスペンサ１０１において、水注出スイッチ３１、氷注出スイッチ３２又は水氷注出スイッチ３３が押された際に給水弁２４及び開閉扉１２ａを開放する時間を、貯水量検出センサ２７の検出値及び貯氷量検出センサ１７の検出値を使用して補正するようにしたものである。
まず、実施の形態２に係るディスペンサの構成は、実施の形態１のディスペンサ１０１と同様である。このため、図１を参照して、実施の形態２に係るディスペンサについて説明する。
【００３６】
実施の形態２に係るディスペンサにおいて、貯水タンク２１からの水の放出は、貯水タンク２１内の水の自重の作用によるものであり、貯水タンク２１内の水の貯留量によって完全開放時の給水弁２４を流通する水の流量が変動する。このため、入力装置３０の水注出スイッチ３１が押されて貯水タンク２１の水を注出する際、制御装置４０の演算部４３は、貯水タンク２１内の水の貯留量に応じて、メモリ４２に記憶されている給水弁２４の開放時間を補正する。なお、上述の給水弁２４の開放時間を補正は、給水弁２４の開放直前の貯水タンク２１内の水の貯留量に基づき行われるが、さらに、給水弁２４の開放中にも、変動する貯水タンク２１内の水の貯留量に応じたさらなる補正が行われてもよい。
【００３７】
このとき、まず、演算部４３は、貯水量検出センサ２７が検出する貯水タンク２１内の水面までの距離から、貯水タンク２１内の水の貯留量の満水状態に対する割合を算出する。なお、満水状態は、水面が水供給管２２の下方の所定の位置に設定され、貯水量検出センサ２７から満水状態の水面までの距離で設定されている。
【００３８】
そして、例えば、演算部４３は、貯水タンク２１内の水の貯留量の割合が７０％以上の場合、完全開放時の給水弁２４の流量が１００％（３．７５Ｌ／ｍｉｎ）であると設定し、水のみの注出での一回当たりの給水弁２４の開放時間を、メモリ４２に記憶されている１９２０ｍｓｅｃとする。また、演算部４３は、貯水タンク２１内の水の貯留量の割合が３０％以上７０％未満の場合、完全開放時の給水弁２４の流量が、３．７５Ｌ／ｍｉｎの８５％であると設定し、水のみの注出での一回当たりの給水弁２４の開放時間を、メモリ４２に記憶されている１９２０ｍｓｅｃの１００／８５倍の２２５９ｍｓｅｃとする。また、演算部４３は、貯水タンク２１内の水の貯留量の割合が３０％未満の場合、完全開放時の給水弁２４の流量が、３．７５Ｌ／ｍｉｎの７０％であると設定し、水のみの注出での一回当たりの給水弁２４の開放時間を、メモリ４２に記憶されている１９２０ｍｓｅｃの１００／７０倍の２７４３ｍｓｅｃとする。そして、制御部４１は、上述のようにして演算部４３が補正した開放時間に基づき、給水弁２４の開閉を制御する。
【００３９】
また、貯氷タンク１１からの氷の放出は、貯氷タンク１１内の氷の自重の作用と回転するアジテータ１３の氷の移送作用とによるものであり、貯氷タンク１１内の氷の貯留量によって開閉扉１２ａの完全開放時の氷放出口１１ａ１を流通する氷の流量が変動する。このため、入力装置３０の氷注出スイッチ３２が押されて貯氷タンク１１の氷を注出する際、演算部４３は、貯氷タンク１１内の氷の貯留量に応じて、メモリ４２に記憶されている開閉扉１２ａの開放時間を補正する。なお、上述の開閉扉１２ａの開放時間を補正は、開閉扉１２ａの開放直前の貯氷タンク１１内の氷の貯留量に基づき行われるが、さらに、開閉扉１２ａの開放中にも、変動する貯氷タンク１１内の氷の貯留量に応じたさらなる補正が行われてもよい。
【００４０】
このとき、まず、演算部４３は、貯氷量検出センサ１７が検出する貯氷タンク１１内の氷表面までの距離から、貯氷タンク１１内の氷の貯留量の満氷状態に対する割合を算出する。なお、満氷状態は、貯氷タンク１１における所定の高さ位置に設定され、貯氷量検出センサ１７から満氷状態の氷表面までの距離で設定されている。また、氷表面の位置の検出精度を向上させるために、貯氷量検出センサ１７を複数設け、その平均値を貯氷量検出センサ１７から氷表面までの距離としてもよい。
【００４１】
そして、例えば、演算部４３は、貯氷タンク１１内の氷の貯留量の割合が６０％以上の場合、開閉扉１２ａの完全開放時の氷放出口１１ａ１の氷流量が、１００％（４０ｇ／ｓｅｃ）であると設定し、氷のみの注出での一回当たりの開閉扉１２ａの開放時間を、メモリ４２に記憶されている２５００ｍｓｅｃとする。また、演算部４３は、貯氷タンク１１内の氷の貯留量の割合が２５％以上６０％未満の場合、開閉扉１２ａの完全開放時の氷放出口１１ａ１の氷流量が、４０ｇ／ｓｅｃの８０％であると設定し、氷のみの注出での一回当たりの開閉扉１２ａの開放時間を、メモリ４２に記憶されている２５００ｍｓｅｃの１００／８０倍の３１２５ｍｓｅｃとする。また、演算部４３は、貯氷タンク１１内の氷の貯留量の割合が２５％未満の場合、開閉扉１２ａの完全開放時の氷放出口１１ａ１の氷流量が、４０ｇ／ｓｅｃの７０％であると設定し、氷のみの注出での一回当たりの開閉扉１２ａの開放時間を、メモリ４２に記憶されている２５００ｍｓｅｃの１００／７０倍の３５７１ｍｓｅｃとする。そして、制御部４１は、上述のようにして演算部４３が補正した開放時間に基づき、開閉扉１２ａの開閉を制御する。
【００４２】
また、入力装置３０の水氷注出スイッチ３３が押されて貯水タンク２１の水及び貯氷タンク１１の氷を注出する際、上述と同様にして、演算部４３が、給水弁２４及び開閉扉１２ａでの水及び氷の流量補正に基づきメモリ４２に予め記憶されている給水弁２４及び開閉扉１２ａの開放時間を補正し、制御部４１が、補正した開放時間に基づき給水弁２４及び開閉扉１２ａの開閉を制御する。
また、この発明の実施の形態２に係るディスペンサのその他の動作は、実施の形態１と同様であるため、説明を省略する。
【００４３】
上述で説明したように、実施の形態２におけるディスペンサによれば、上記実施の形態１のディスペンサ１０１と同様な効果が得られる。
また、実施の形態２におけるディスペンサでは、制御装置４０は、貯水量検出センサ２７及び貯氷量検出センサ１７の検出量それぞれに基づき、開放時の給水弁２４及び開閉扉１２ａの氷放出口１１ａ１を流通可能な水及び氷の流量を補正し、この補正に基づき給水弁２４及び開閉扉１２ａの開放時間を補正する。よって、貯水タンク２１の貯留水量及び貯氷タンク１１の貯留氷量に基づき、予め設定されている給水弁２４及び開閉扉１２ａの開放時間が補正されるため、設定注出量に対してより正確な量での水及び氷の注出を可能にする。さらに、実施の形態２におけるディスペンサは、実施の形態１のディスペンサ１０１に対して、貯水タンク２１の貯水量検出センサ２７及び貯氷タンク１１の貯氷量検出センサ１７をさらに使用するだけの構成であるため、その構成を簡易にすることを可能にする。
【００４４】
また、実施の形態２におけるディスペンサでは、貯水タンク２１の貯留水量及び貯氷タンク１１の貯留氷量に応じて、給水弁２４及び開閉扉１２ａの開放時間を段階的に変化させていたが、これに限定されるものでなく、連続的に変化させてもよい。
【００４５】
また、実施の形態１及び２におけるディスペンサは、水及び氷の少なくとも１つを注出ものであったが、これに限定されるものでなく、水、飲料及び氷の少なくとも１つを注出ものであってもよい。また、上記ディスペンサは、水のみ、飲料のみ、氷のみ、水及び氷のみ、又は、飲料及び氷のみを注出するものであってもよい。
【符号の説明】
【００４６】
１１  貯氷タンク、１１ｄ  氷放出路（注出路）、１２ａ  開閉扉（開閉装置）、１７  貯氷量検出センサ（貯留量検出装置）、２１  貯水タンク、２４  給水弁（開閉装置）、２５  水注出管（注出路）、２７  貯水量検出センサ（貯留量検出装置）、３０  入力装置（注出量入力部）、４０  制御装置、１０１  ディスペンサ。
【図１】
2012250746.tif 000003